(57)【要約】【課題】認証を伴う充電システムにおいて、認証登録がなされていないデバイスまたは認証機能がないデバイスに対して充電を行う場合、認証用カードで認証を行う仕組みが考えられる。しかしながら、この仕組みでは、認証用カードのデータを読み取るカードリーダー等の被充電デバイスと関連のない機器を別途設ける必要がある。【解決手段】充電ユニットは、認証情報を記憶する認証デバイスが載置台に載置されたときに、認証情報と、認証情報を記憶せずに充電対象となる非認証デバイスに関するデバイス情報とを取得する取得部と、取得部がデバイス情報を取得した場合に、認証デバイスの充電池を充電せず、非認証デバイスの充電池を充電する充電部とを備える。【選択図】図１
2014023252.tif 000002
【特許請求の範囲】
【請求項１】
認証情報を記憶する認証デバイスが載置台に載置されたときに、前記認証情報と、認証情報を記憶していない、充電対象となる非認証デバイスに関するデバイス情報とを取得する取得部と、
前記取得部が前記デバイス情報を取得した場合に、前記認証デバイスの充電池を充電せず、前記非認証デバイスの充電池を充電する充電部と
を備える充電ユニット。
【請求項２】
前記充電部は、前記非認証デバイスの充電池を非接触により充電する請求項１に記載の充電ユニット。
【請求項３】
前記載置台に載置された前記認証デバイスおよび前記非認証デバイスの位置を検出する位置検出部を備え、
前記充電部は、前記認証デバイスの位置を基準に定められる範囲内に載置された前記非認証デバイスの充電池を充電する請求項１または２に記載の充電ユニット。
【請求項４】
前記非認証デバイスの充電中に、前記認証デバイスから前記非認証デバイスの充電に関する充電情報を受信する受信部を備える請求項１から３のいずれか１項に記載の充電ユニット。
【請求項５】
前記非認証デバイスの充電中に、前記非認証デバイスの充電状況を示す充電状況情報を前記認証デバイスへ送信する送信部を備える請求項１から４の何れか１項に記載の充電ユニット。
【請求項６】
前記認証デバイスが前記載置台から予め定められた範囲に存在するか否かを判定する判定部を備え、
前記充電部は、前記認証デバイスが前記載置台から予め定められた範囲に存在しないと前記判定部が判定した場合に、他の非認証デバイスに対する充電処理を開始しない請求項１から５の何れか１項に記載の充電ユニット。
【請求項７】
前記認証デバイスが前記載置台に載置されたときに暗証情報を提示する提示部と、
前記非認証デバイスが前記載置台に載置されたときに、暗証情報の入力をユーザから受け付ける受付部と
を備え、
前記充電部は、前記受付部が受け付けた前記暗証情報と前記提示部が提示した前記暗証情報とが同一である場合に、前記非認証デバイスの充電池を充電する請求項１から６のいずれか１項に記載の充電ユニット。
【請求項８】
前記載置台に重畳して設置され、前記認証デバイスが前記載置台に載置されたときに、充電可能範囲を示すオブジェクトを表示する表示部を備える請求項１から７のいずれか１項に記載の充電ユニット。
【請求項９】
前記取得部は、前記認証デバイスから前記デバイス情報を取得する請求項１から８のいずれか１項に記載の充電ユニット。
【請求項１０】
前記認証デバイスが前記載置台に載置された場合に、前記デバイス情報をユーザから受け付ける受付部を備え、
前記取得部は、前記受付部から前記デバイス情報を取得する請求項１から９の何れか１項に記載の充電ユニット。
【請求項１１】
認証情報を記憶する記憶部と、
認証情報を記憶せずに充電ユニットの充電対象となる非認証デバイスに関するデバイス情報をユーザから受け付ける受付部と、
前記充電ユニットから認証情報が要求された場合に、前記記憶部に記憶されている前記認証情報と、前記デバイス情報とを前記充電ユニットへ送信する送信部と
を備える認証デバイス。
【請求項１２】
前記送信部は、前記非認証デバイスの充電中に、前記非認証デバイスの充電に関する充電情報を前記充電ユニットへ送信する請求項１１に記載の認証デバイス。
【請求項１３】
前記非認証デバイスの充電中に、前記非認証デバイスの充電状況を示す充電状況情報を前記充電ユニットから受信する受信部を備える請求項１１または１２に記載の認証デバイス。
【請求項１４】
認証情報を記憶する認証デバイスが載置台に載置されたときに、前記認証情報と、認証情報を記憶せずに充電対象となる非認証デバイスに関するデバイス情報とを取得する取得ステップと、
前記デバイス情報が取得された場合に、前記認証デバイスの充電池を充電せず、前記非認証デバイスの充電池を充電する充電ステップと
をコンピュータに実行させる、充電ユニットの制御プログラム。
【請求項１５】
認証情報を記憶する記憶部を備える認証デバイスの制御プログラムであって、
認証情報を記憶せずに充電ユニットの充電対象となる非認証デバイスに関するデバイス情報をユーザから受け付ける受付ステップと、
前記充電ユニットから認証情報が要求された場合に、前記記憶部に記憶されている前記認証情報と、前記デバイス情報とを前記充電ユニットへ送信する送信ステップと
をコンピュータに実行させる、認証デバイスの制御プログラム。
【発明の詳細な説明】
【技術分野】
【０００１】
本発明は、充電ユニット、通信デバイス、充電ユニットの制御プログラム、および通信デバイスの制御プログラムに関する。
【背景技術】
【０００２】
携帯電話等の被充電デバイスのユーザ認証を行い、認証が完了したデバイスに対して充電を行う充電システムが知られている。
［先行技術文献］
［特許文献］
［特許文献１］  特開２００８−２４５３５９号公報
【発明の概要】
【発明が解決しようとする課題】
【０００３】
上述のような認証を伴う充電システムにおいて、認証登録がなされていないデバイスまたは認証機能がないデバイスに対して充電を行う場合、認証用カードで認証を行う仕組みが考えられる。しかしながら、この仕組みでは、認証用カードのデータを読み取るカードリーダー等の被充電デバイスと関連のない機器を別途設ける必要がある。
【課題を解決するための手段】
【０００４】
本発明の第１の態様における充電ユニットは、認証情報を記憶する認証デバイスが載置台に載置されたときに、認証情報と、認証情報を記憶せずに充電対象となる非認証デバイスに関するデバイス情報とを取得する取得部と、取得部がデバイス情報を取得した場合に、認証デバイスの充電池を充電せず、非認証デバイスの充電池を充電する充電部とを備える。
【０００５】
本発明の第２の態様における認証デバイスは、  認証情報を記憶する記憶部と、認証情報を記憶せずに充電ユニットの充電対象となる非認証デバイスに関するデバイス情報をユーザから受け付ける受付部と、充電ユニットから認証情報が要求された場合に、記憶部に記憶されている認証情報と、デバイス情報とを充電ユニットへ送信する送信部とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る充電システムの概要を説明する図である。
【図２】本実施形態に係る充電ユニットの全体斜視図である。
【図３】本実施形態に係る充電ユニットと、充電ユニットに載置される認証デバイスのブロック図である。
【図４】本実施形態に係る充電ユニットと、充電ユニットに載置される非認証デバイスのブロック図である。
【図５】本実施形態に係る給電コイル駆動部の上面図である。
【図６】充電対象となる非認証デバイスに関するデバイス情報の取得処理を説明する図である。
【図７】第１実施例を説明する図である。
【図８】第２実施例を説明する図である。
【図９】本実施形態に係る充電ユニットの動作フローを示すフローチャートである。
【図１０】本実施形態に係る認証デバイスの動作フローを示すフローチャートである。
【図１１】第１変形例を説明する図である。
【図１２】第２変形例を説明する図である。
【図１３】第３変形例を説明する図である。
【図１４】第４変形例を説明する図である。
【図１５】第５変形例を説明する図である。
【発明を実施するための形態】
【０００８】
以下、発明の実施の形態を通じて本発明を説明するが、以下の実施形態は、特許請求の範囲に係る発明を限定するものではない。また、実施形態の中で説明されている特徴の組み合わせの全てが、発明の解決手段に必須であるとは限らない。
【０００９】
図１は、本実施形態に係る充電システムの概要を説明する図である。本実施形態に係る充電システムは、充電処理を実行する充電ユニット１００と、後述する認証デバイス２００および非認証デバイス３００と、充電システムを管理する各種情報をデータベースに格納するサーバ４００とを含む。充電ユニット１００は、公の場に設置され、複数のユーザが充電ユニット１００を利用できる。そのため、本実施形態に係る充電システムにおいて、充電ユニット１００は、充電対象として予め認証を受けているデバイスに対して充電処理を実行する。
【００１０】
まず、ユーザは、ユーザ情報（ユーザＩＤ）、充電の料金を課金するための課金情報、デバイスの機器識別情報（端末ＩＤ）等の登録情報を、デバイスを介して充電システムの提供者に送信する。充電システムの提供者は、登録情報をサーバ４００のデータベースに登録し、ユーザ識別情報、機器識別情報等の、充電システムのサービスを利用するための認証情報を、登録情報を送信したデバイスへ送信する。デバイスが当該認証情報をメモリに記憶することにより、充電システムにおいて当該デバイスに対する充電が可能となる。
【００１１】
充電対象として認証を受けて認証情報を記憶するデバイスを認証デバイスと称する。また、充電対象として認証を受けておらず認証情報を記憶していないデバイスを非認証デバイスと称する。非認証デバイスとして、認証機能を備えているが充電システムのサービスへの登録手続を行っていないデバイスと、認証機能を備えていないデバイスとが存在する。図１の例において、ユーザは、携帯電話である認証デバイス２００と、デジタルカメラである非認証デバイス３００とを所持している。
【００１２】
充電ユニット１００は、デバイスが載置台に載置されると、当該デバイスが充電対象として認証を受けているか否か、すなわち当該デバイスが認証デバイスであるか非認証デバイスであるかを判別する。具体的には、充電ユニット１００は、載置されたデバイスに認証情報を要求する。充電ユニット１００は、載置されたデバイスから認証情報を取得した場合、載置されたデバイスが認証デバイスであると判別する。一方、充電ユニット１００は、載置されたデバイスから認証情報を取得しなかった場合、載置されたデバイスが非認証デバイスであると判別する。
【００１３】
認証デバイスを充電する認証充電モードにおいて、充電ユニット１００は、載置されたデバイスが認証デバイスの場合には、当該デバイスの充電池を充電する。一方、充電ユニット１００は、載置されたデバイスが非認証デバイスの場合には、当該デバイスの充電池を充電しない。図１（ａ）の状況において、ユーザが認証デバイス２００を認証充電モードである充電ユニット１００の載置台に載置した場合、充電ユニット１００は、認証デバイス２００の充電池を充電する。一方、ユーザが非認証デバイス３００を認証充電モードである充電ユニット１００の載置台に載置した場合、充電ユニット１００は、非認証デバイス３００の充電池を充電しない。
【００１４】
ユーザは、認証デバイス２００と非認証デバイス３００の両方を所持しているときに、非認証デバイス３００を充電したい場合がある。しかしながら、非認証デバイス３００を充電対象として認証を受ける手続を新たに行うのは煩雑である。また、非認証デバイス３００は、デバイスの種別によってはそもそも認証機能を備えておらず、認証を受けることができない場合もある。そこで、認証デバイス２００と非認証デバイス３００の両方を所持しているユーザの利便性を高めることを目的として、本実施形態に係る充電システムは、認証デバイスを認証キーとして用いて、非認証デバイスの充電池を充電する非認証充電モードを備えるシステムを提供する。
【００１５】
図１（ａ）に示すように、認証デバイス２００が充電ユニット１００の載置台に載置されたときに、充電ユニット１００は、充電対象となる非認証デバイスに関するデバイス情報の取得の有無に応じて、充電対象を判断する。具体的には、充電ユニット１００は、デバイス情報を取得していない場合には、載置された認証デバイス２００を充電対象と判断し、認証デバイス２００の充電池を充電する。一方、充電ユニット１００は、デバイス情報を取得した場合には、載置された認証デバイス２００以外の非認証デバイスを充電対象と判断し、認証デバイス２００を充電せず、非認証デバイスを充電する非認証充電モードへ移行する。なお、デバイス情報の詳細については後述する。
【００１６】
図１（ｂ）に示すように、非認証充電モード時において非認証デバイス３００が充電ユニット１００の載置台に載置されたときに、充電ユニット１００は、非認証デバイス３００の充電池を充電する。なお、充電ユニット１００は、充電中の非認証デバイス３００が存在する表示パネルの領域の色を他の領域と異ならせることにより、ユーザに充電中である旨を報知する。
【００１７】
本実施形態に係る充電システムによれば、認証デバイスを充電するだけでなく、認証デバイスを認証キーとして用いることにより非認証デバイスも充電することができる。したがって、ユーザは、認証デバイスを所持していれば、非認証デバイスに対する認証を受ける必要はなくなるので利便性が向上する。また、ユーザは、認証デバイスを所持していれば、認証機能を備えていない非認証デバイスに対しても充電することができる。
【００１８】
図２は、本実施形態に係る充電ユニット１００の全体斜視図である。なお、図示するように、鉛直上方をｚ軸プラス方向、充電ユニット１００の幅方向右方をｘ軸プラス方向、充電ユニット１００の奥行き方向をｙ軸プラス方向と定める。充電ユニット１００は、非接触電方式を採用する。非接触充電方式としては、磁気共鳴方式、電磁誘導方式、電解結合方式等が例として挙げられる。本実施形態において、充電ユニット１００は、電磁誘導方式を採用する。充電ユニット１００は、充電部１０１と、充電部１０１の上側に配置される位置検出部１０２と、位置検出部１０２の上側に配置される表示パネル１０３と、タッチパネル１０９を備える。
【００１９】
充電部１０１は、載置されたデバイスの充電池を非接触にて充電する部材であって、給電コイルと、給電コイルをｘｙ平面方向に駆動する給電コイル駆動部を内蔵している。充電部１０１には、電源スイッチ１０５と、電源コンセント１０６とが、それぞれ設けられている。ユーザは、充電ユニット１００を起動する場合、電源コンセント１０６をＡＣ電源に接続し、電源スイッチ１０５をオンとする。ＡＣ電源から供給された電力は、充電部１０１に内蔵された充電ユニット電源部を経て、充電ユニット１００の構成要素へと供給される。充電ユニット電源部の詳細については後述する。また、充電部１０１には、充電ユニット１００は、外部機器であるサーバ４００に接続するための通信部を内蔵している。
【００２０】
位置検出部１０２の内部には、載置されたデバイスに内蔵された受電コイルの位置を検出するための複数の位置検出コイルが、マトリクス状に配設されている。位置検出部１０２は、複数の位置検出コイルの出力に応じて、デバイスの載置台への載置、載置された証デバイスの位置を検出する。表示パネル１０３は、液晶パネルから構成され、枠部１０７と表示領域１０８とを含む。
【００２１】
充電部１０１に積層して配置されている、位置検出部１０２、表示パネル１０３およびタッチパネル１０９は、全体としてデバイスを載置しても撓むことのない剛性を備える。したがって、これらは、充電ユニット１００においてデバイスを載置する載置台としての役割を担う。もちろん、表面保護、剛性確保等の目的に合わせて、透明樹脂板、金属枠体等を載置台の一部として備えてもよい。
【００２２】
図３は、本実施形態に係る充電ユニット１００と、充電ユニット１００に載置された認証デバイス２００のブロック図である。充電ユニット１００は、充電制御部１１０を備える。充電制御部１１０は、充電ユニット１００を構成する各要素を、直接的または間接的に制御する。充電ユニット１００は、認証デバイス２００または非認証デバイス３００に対して非接触にて電力を供給するための給電コイル１１１を備える。給電コイル１１１は、上記したように充電部１０１の内部に収容されている。給電制御部１１２は、充電制御部１１０の制御の下で、給電コイル１１１による給電を制御する。給電コイル駆動部１２０は、充電部１０１の内部に収容されており、給電コイル１１１を支持するとともに、ｘ軸方向またはｙ軸方向に沿って給電コイル１１１を二次元的に移動させる。給電コイル駆動部１２０の構造については、後述する。
【００２３】
充電ユニット１００は、表示制御部１１４を備える。表示制御部１１４は、充電制御部１１０からの指令に応じて各種情報を表示パネル１０３に表示させる。表示制御部１１４は、表示パネル１０３と共に表示部１１３を構成する。ユーザがタッチパネル１０９を接触操作すると、タッチパネル１０９は、ユーザが触れた位置の座標および接触形態を検知し、ユーザによる接触操作の情報として、充電制御部１１０に出力する。充電制御部１１０は、ユーザからの操作を受け付けて、ユーザからの指示に応じた動作をするように充電ユニット１００の各要素を制御する。
【００２４】
位置検出部１０２は、マトリックス状に配設された複数の位置検出コイル１１５を内蔵する。それぞれの位置検出コイル１１５には、微弱な検出電流が流されている。充電制御部１１０は、位置検出コイル１１５の検出電流の変化によって、認証デバイス２００が載置されたことを検出する。また、充電制御部１１０は、認証デバイス２００が充電ユニット１００上に載置されたときに生じる各位置検出コイル１１５の検出電流の変化を検知し、認証デバイス２００の受電コイル２１１の位置を特定する。
【００２５】
通信部１１６は、認証デバイス２００側の通信部であるデバイス通信部２０９との間で無線通信を実行する。例えば、通信部１１６は、認証情報と、後述するデバイス情報とを認証デバイス２００から受信する。また、通信部１１６は、サーバ４００との間で無線通信を実行しても良い。
【００２６】
充電ワークメモリ１１７は、高速で読み書きのできるランダムアクセスメモリであり、例えばＤＲＡＭ、ＳＲＡＭなどが用いられる。充電ワークメモリ１１７は、充電動作等の各種動作を実行する場合において、バッファメモリまたはワークメモリとしての役割を担う。充電ワークメモリ１１７は、これらの役割を担うに相当する十分なメモリ容量を備える。
【００２７】
充電制御部１１０は、充電システムメモリ１１８と通信する。充電システムメモリ１１８は、電気的に消去・記録可能な不揮発性メモリであり、例えばＥＥＰＲＯＭ（登録商標）等により構成される。充電システムメモリ１１８は、充電ユニット１００の動作時に必要な定数、変数、プログラム等を、充電ユニット１００の非動作時にも失われないように記録している。充電制御部１１０は、定数、変数、プログラム等を適宜充電ワークメモリ１１７に展開して、充電ユニット１００の制御に利用する。充電ユニット電源部１１９は、ユーザによって電源スイッチ１０５がオンとされた場合に、電源コンセント１０６を介してＡＣ電源から送られる電力を、充電制御部１１０を始め、充電ユニット１００を構成する各要素に供給する。
【００２８】
認証デバイス２００は、デバイスシステム制御部２０１を備える。デバイスシステム制御部２０１は、認証デバイス２００を構成する各要素を、直接的または間接的に制御する。デバイスワークメモリ２０２は、ＤＲＡＭ、ＳＲＡＭ等の高速で読み書きのできるランダムアクセスメモリであり、認証デバイス２００で実行される各処理において、バッファメモリまたはワークメモリとしての役割を担う。
【００２９】
デバイスシステムメモリ２０３は、電気的に消去・記録可能な不揮発性メモリであり、例えばＥＥＰＲＯＭ（登録商標）等により構成される。デバイスシステムメモリ２０３は、認証デバイス２００の動作時に必要な定数、変数、プログラム等を、認証デバイス２００の非動作時にも失われないように記録している。デバイスシステム制御部２０１は、定数、変数、プログラム等を適宜デバイスワークメモリ２０２に展開して、認証デバイス２００の制御に利用する。
【００３０】
デバイスシステムメモリ２０３は、上述の認証情報を記憶する認証情報記憶部２０４を含む。また、デバイスシステムメモリ２０３は、後述するデバイス情報を記憶するデバイス情報記憶部２０５を含む。
【００３１】
認証デバイス２００は、液晶パネル等から構成されるデバイス表示パネル２０６と、デバイス表示パネル２０６を制御するデバイス表示制御部２０７を備える。デバイス表示制御部２０７は、デバイスシステム制御部２０１からの指令に応じて、各種情報をデバイス表示パネル２０６に表示させる。
【００３２】
認証デバイス２００は、ユーザの入力を受け付ける受付部としての操作部材２０８を複数備える。また、認証デバイス２００は、充電ユニット１００側の通信部１１６と通信するデバイス通信部２０９を備える。
【００３３】
認証デバイス２００は、当該認証デバイス２００を駆動するための電力を蓄電する二次電池２１０と、受電コイル２１１とを備える。二次電池２１０は、ニッケル水素電池、リチウムイオン電池などの繰り返し充電できる充電池である。受電コイル２１１は、上記した給電コイル１１１から受け取った電力により二次電池２１０を充電する。また、受電コイル２１１は、二次電池２１０の残容量を検出する回路を含む。
【００３４】
図４は、本実施形態に係る充電ユニット１００と、充電ユニット１００に載置された非認証デバイス３００のブロック図である。充電ユニット１００の構成は、図３と同様であるので説明を省略する。非認証デバイス３００のデバイスシステム制御部３０１、デバイスワークメモリ３０４、デバイスシステムメモリ３０５は、図３を用いて説明した認証デバイス２００のデバイスシステム制御部２０１、デバイスワークメモリ２０２、デバイスシステムメモリ２０３に対応する。また、非認証デバイス３００のデバイス表示パネル３０６、デバイス表示制御部３０７、操作部材３０８、デバイス通信部３０９は、認証デバイス２００のデバイス表示パネル２０６、デバイス表示制御部２０７、操作部材２０８、デバイス通信部２０９に対応する。また、非認証デバイス３００の二次電池３１０、受電コイル３１１は、認証デバイス２００の二次電池２１０、受電コイル２１１に対応する。上述した認証デバイス２００の構成と異なる機能を実行する非認証デバイス３００の構成について説明する。
【００３５】
撮像ユニット３０２は、光学系、撮像素子、画像処理部、Ａ／Ｄ変換器等を含み、取り込んだ被写体像を光電変換し、デジタルデータとしての画像データを生成する。生成された画像データは、デバイスシステム制御部３０１の制御のもと、記録部３０３に記録される。
【００３６】
デバイスシステムメモリ３０５は、認証デバイス２００のデバイスシステムメモリ２０３が含む認証情報記憶部２０４およびデバイス情報記憶部２０５に対応する構成を具備しない。すなわち、非認証デバイス３００は、上述した認証情報および後述するデバイス情報を記憶していない。なお、その他の点については、デバイスシステムメモリ３０５は、認証デバイス２００のデバイスシステムメモリ２０３と同等の機能を実行する。
【００３７】
認証デバイス２００は、認証情報記憶部２０４に記憶されている認証情報を送信するので、デバイス通信部２０９を備える。一方、非認証デバイス３００は、必ずしも充電ユニット１００と通信する必要はないことから、デバイス通信部３０９を備えなくても良い。
【００３８】
図５は、本実施形態に係る給電コイル駆動部１２０の上面図である。給電コイル駆動部１２０は、ｘ軸方向に沿って延びる第一ボールネジ１２１および第一支持レール１２７と、第一ボールネジ１２１を回転駆動する第一モータ１２２と、第一ボールネジ１２１から第一支持レール１２７に亘って延びる第一コイル駆動レール１３０を有する。
【００３９】
第一ボールネジ１２１は、第一支持レール１２７よりｙ軸プラス方向側に配置されている。第一ボールネジ１２１は、その両端部が取り付け部材１２５および取り付け部材１２６によって回転可能に支持されている。取り付け部材１２５および取り付け部材１２６は、充電部１０１本体に固定される。第一支持レール１２７は、円柱状の棒部材であって、その両端部が取り付け部材１２８および取り付け部材１２９によって固定支持されている。取り付け部材１２８および取り付け部材１２９は、充電部１０１本体に固定される。
【００４０】
第一コイル駆動レール１３０は、ｙ軸方向に沿って真直ぐに延びる棒部材である。第一コイル駆動レール１３０のｙ軸プラス方向側端部には、ネジ連結部１３１が固定されている。ネジ連結部１３１には、ｘ軸方向に貫通する貫通孔が形成されている。そして、当該貫通孔の内壁面には、ボールネジ１２１と噛合するネジ部が形成されている。
【００４１】
一方、第一コイル駆動レール１３０のｙ軸マイナス方向側の端部には、レール連結部１３２が固定されている。レール連結部１３２には、ｘ軸方向に貫通する貫通孔が形成されている。そして、当該貫通孔に、第一支持レール１２７が挿通されている。レール連結部１３２は、第一支持レール１２７に沿って相対的に移動することができる。
【００４２】
第一モータ１２２は、例えばステッピングモータによって構成され、ボールネジ１２１をｘ軸周りに回転駆動する。第一モータ１２２がボールネジ１２１を回転駆動すると、ボールネジ１２１と噛合するネジ連結部１３１は、第一モータ１２２の回転方向に応じてｘ軸方向に移動する。ネジ連結部１３１の移動に伴って、コイル駆動レール１３０およびレール連結部１３２も、ｘ軸方向に一体となって移動する。
【００４３】
給電コイル駆動部１２０は、ｙ軸方向に沿って延びる第二ボールネジ１２３および第二支持レール１３３と、第二ボールネジ１２３を回転駆動する第二モータ１２４と、第二ボールネジ１２３から第二支持レール１３３に亘って延びる第二コイル駆動レール１３６を有する。第二ボールネジ１２３は、第二支持レール１３３よりｘ軸プラス方向側に配置されている。第二ボールネジ１２３は、その両端部が取り付け部材１４０および取り付け部材１４１によって回転可能に支持されている。取り付け部材１４０および取り付け部材１４１は、充電部１０１本体に固定される。第二支持レール１３３は、円柱状の棒部材であって、その両端部が取り付け部材１３４および取り付け部材１３５によって支持されている。取り付け部材１３４および取り付け部材１３５は、充電部１０１本体に固定される。
【００４４】
第二コイル駆動レール１３６は、ｘ軸方向に沿って真直ぐに延びる棒部材である。第二コイル駆動レール１３６のｘ軸プラス方向側端部には、ネジ連結部１３７が固定されている。ネジ連結部１３７には、ｙ軸方向に貫通する貫通孔は形成されている。そして、当該貫通孔の内壁面には、第二ボールネジ１２３と噛合するネジ部が形成されている。
【００４５】
一方、第二コイル駆動レール１３６のｘ軸マイナス方向側の端部には、レール連結部１３８が固定されている。レール連結部１３８には、ｙ軸方向に貫通する貫通孔が形成されている。そして、当該貫通孔に、第二支持レール１２７が挿通されている。レール連結部１３２は、第一支持レール１２７に沿って相対的に移動することができる。
【００４６】
第二モータ１２４は、第一モータ１２２と同様に、例えばステッピングモータによって構成され、第二ボールネジ１２３を、ｙ軸周りに回転駆動する。第二モータ１２４が第二ボールネジ１２３を回転駆動すると、第二ボールネジ１２３と噛合するネジ連結部１３７は、第二モータ１２４の回転方向に応じてｙ軸方向に移動する。ネジ連結部１３７の移動に伴って、第二コイル駆動レール１３６およびレール連結部１３８も、ｙ軸方向に一体となって移動する。
【００４７】
給電コイル１１１は、コイル支持台１３９に取り付けられている。コイル支持台１３９には、ｙ軸方向に貫通する第一貫通孔と、ｘ軸方向に貫通する第二貫通孔とが形成されている。第一貫通孔と第二貫通孔とは、互いにｚ軸方向の位置が異なるように形成される。第一貫通孔には、第一コイル駆動レール１３０が挿通されており、コイル支持台１３９は、第一コイル駆動レール１３０に沿って摺動する。同様に、第二貫通孔には、第二コイル駆動レール１３６が挿通されており、コイル支持台１３９は、第二コイル駆動レール１３６に沿って摺動する。
【００４８】
第一コイル駆動レール１３０がｘ軸方向に移動すると、第一コイル駆動レール１３０が第一貫通孔の壁面を押す。そして、コイル支持台１３９は、第一コイル駆動レール１３０とともにｘ軸方向に移動する。同様に、第二コイル駆動レール１３６がｙ軸方向に移動すると、第二コイル駆動レール１３６が第二貫通孔の壁面を押す。そして、コイル支持台１３９は、第二コイル駆動レール１３６とともにｙ軸方向に移動する。上記した構成により、コイル支持台１３９は、第一モータ１２２および第二モータ１２４の回転駆動によって、ｘｙ平面上を二次元的に移動する。
【００４９】
なお、給電コイル１１１への電力は、給電制御部１１２と接続された可撓性の給電導線１４２を介して供給される。給電導線１４２は、上述のようなコイル支持台１３９の移動を妨げない。なお、給電導線１４２は、フレキシブル基板によって構成されても良い。
【００５０】
図６は、充電対象となる非認証デバイスに関するデバイス情報の取得処理を説明する図である。ユーザが認証デバイス２００のメニュー画面で充電対象項目を選択すると、デバイスシステム制御部２０１は、デバイス表示制御部２０７に指令を送り、図６に示す充電対象の設定画面をデバイス表示パネル２０６に表示させる。充電対象の設定画面において、「自機を充電」および「他の非認証デバイスを充電」の項目が選択可能にユーザに提示される。また、ユーザが「他の非認証デバイスを充電」を選択した場合、「非認証デバイスの種別」および「充電時間」の項目が入力可能に提示される。
【００５１】
デバイスシステム制御部２０１は、「他の非認証デバイスを充電」に関する項目に対するユーザ入力を、デバイス情報として操作部材２０８を介して受け付ける。デバイス情報には、他の非認証デバイスを充電する旨を示すフラグ、「非認証デバイスの種別」に入力された種別情報、「充電時間」に入力された充電時間情報、および電力量で表示される充電可能容量等が選択的に含まれる。なお、上述した設定画面における「非認証デバイスの種別」および「充電時間」の項目への入力は任意であり、デバイス情報は、少なくとも他の非認証デバイスを充電する旨を示すフラグを含む。デバイスシステム制御部２０１は、デバイス情報をデバイス情報記憶部２０５に記憶する。
【００５２】
デバイスシステム制御部２０１は、デバイス情報がデバイス情報記憶部２０５に記憶されている状態で充電ユニット１００から認証情報の要求を受けると、認証情報記憶部２０４に記憶されている認証情報と、デバイス情報記憶部２０５に記憶されているデバイス情報とを充電ユニット１００へ送信する。充電ユニット１００の充電制御部１１０は、認証情報とデバイス情報とを認証デバイス２００から取得すると、充電制御部１１０は、認証デバイス２００の二次電池２１０を充電せず、非認証デバイスを充電する非認証充電モードへ移行する。
【００５３】
一方、「自機を充電」が選択された場合には、デバイスシステム制御部２０１は、デバイス情報をデバイスシステムメモリ２０３に記憶しない。デバイスシステム制御部２０１は、この状態で充電ユニット１００から認証情報の要求を受けると、認証情報記憶部２０４に記憶されている認証情報のみを充電ユニット１００へ送信する。充電ユニット１００の充電制御部１１０は、認証情報のみを認証デバイス２００から取得すると、充電制御部１１０は、認証デバイス２００の二次電池２１０を充電する。
【００５４】
次に、本実施形態の実施例について充電ユニット１００の表示を用いて説明する。図７は、第１実施例を説明する図である。第１実施例では、充電ユニット１００の充電制御部１１０は、認証デバイス２００の位置を基準に定められる範囲内に載置された非認証デバイス３００の二次電池３１０を充電する。なお、認証デバイス２００の認証情報記憶部２０４およびデバイス情報記憶部２０５には、認証情報およびデバイス情報がそれぞれ記憶されている。
【００５５】
図７（ａ）に示すように、認証デバイス２００が充電ユニット１００の載置台に載置されると、充電ユニット１００の充電制御部１１０は、上述したように、認証デバイス２００から認証情報とデバイス情報とを取得し、非認証充電モードに移行する。非認証充電モードにおいて、まず、充電制御部１１０は、位置検出部１０２に配設された位置検出コイル１１５の電流の変化を監視して、認証デバイス２００の受電コイル２１１の位置を認証デバイス２００の位置として特定する。そして、充電制御部１１０は、認証デバイス２００の位置を基準とした、非認証デバイスの充電可能範囲を決定する。第１実施例において、充電制御部１１０は、認証デバイス２００の位置を中心として、予め定められた半径を有する円の内側を非認証デバイスの充電可能範囲として決定する。予め定められた半径は、例えば１０ｃｍである。
【００５６】
充電制御部１１０は、表示制御部１１４に指令を送り、非認証デバイスの充電可能範囲を示す範囲オブジェクト５００を表示パネル１０３に表示させる。範囲オブジェクト５００は、表示パネル１０３によって表示される模様、アイコン、文字列、画像等の表示素材であり、非認証デバイスの充電可能範囲をユーザに視覚的に告知する。
【００５７】
ユーザは、範囲オブジェクト５００を確認すると、図７（ｂ）に示すように、認証デバイス２００を充電ユニット１００の載置台から取り除く。なお、充電ユニット１００の充電制御部１１０は、位置検出コイル１１５の電流の変化から認証デバイス２００が載置台から取り除かれたことを検出しても、範囲オブジェクト５００の表示を維持する。
【００５８】
そして、図７（ｃ）に示すように、ユーザは、非認証デバイス３００を充電ユニット１００の載置台に載置する。非認証デバイス３００が載置台に載置されると、充電ユニット１００の充電制御部１１０は、位置検出部１０２に配設された位置検出コイル１１５の電流の変化を監視して、非認証デバイス３００の受電コイル３１１の位置を非認証デバイス３００の位置として特定する。
【００５９】
充電制御部１１０は、非認証デバイス３００の位置が非認証デバイスの充電可能範囲内に存在するか否かを判断する。充電制御部１１０は、非認証デバイス３００の位置が非認証デバイスの充電可能範囲内に存在しない場合には非認証デバイス３００を充電しない。一方、非認証デバイス３００の位置が非認証デバイスの充電可能範囲内に存在する場合には、充電制御部１１０は、給電コイル駆動部１２０に指令を送り、給電コイル１１１を、非認証デバイス３００の受電コイル３１１の位置に配置させる。そして、充電制御部１１０は、給電コイル１１１による給電を開始する。
【００６０】
充電制御部１１０は、図７（ｃ）に示すように、表示制御部１１４に指令を送り、充電を開始する旨のコメントを表示パネル１０３に表示させる。また、充電制御部１１０は、範囲オブジェクト５００の色を変更して、充電中である旨を示す。
【００６１】
充電制御部１１０は、非認証デバイス３００の充電が完了したと判断すると、給電コイル１１１による給電を停止させる。そして、充電制御部１１０は、図７（ｄ）に示すように、表示制御部１１４に指令を送り、充電が完了した旨のコメントを表示パネル１０３に表示させるとともに、非認証デバイスの充電可能範囲を示す範囲オブジェクト５００を消去する。
【００６２】
第１実施例において、非認証デバイス３００の充電完了の判断は、デバイス情報に応じて実行される。例えば、充電制御部１１０は、デバイス情報に含まれる充電時間情報が示す充電時間が経過したときに、非認証デバイス３００の充電が完了したと判断する。また、例えば、充電制御部１１０は、デバイス情報に含まれる種別情報をサーバ４００に送信し、種別情報が示すデジタルカメラの型式が具備している二次電池３１０の最大容量の情報をサーバ４００から取得する。そして、充電制御部１１０は、最大容量分の電力を給電したときに、非認証デバイス３００の充電が完了したと判断する。なお、デバイス情報に充電時間情報および機器情報が含まれていない場合には、充電制御部１１０は、予め規定された充電時間が経過したとき、または予め定められた量の電力を給電したときに、非認証デバイス３００の充電が完了したと判断する。
【００６３】
給電コイル１１１に流れる電流は、非認証デバイス３００の二次電池３１０の充電中は所定値以上となり、二次電池３１０の満充電後は所定値以下となる。そこで、充電制御部１１０は、給電コイル１１１に流れる電流を検出して、当該電流が所定値以下となった場合に非認証デバイス３００の充電が完了したと判断してもよい。
【００６４】
第１実施例の構成によれば、充電ユニット１００の載置台での非認証デバイス３００の充電位置をユーザが希望する位置に設定することができる。また、充電ユニット１００が複数の給電コイル１１１を備えている場合、複数の非認証デバイスを同時に充電することができる。
【００６５】
なお、認証デバイス２００の位置を中心として、予め定められた半径を有する円の内側を非認証デバイスの充電可能範囲と設定したが、認証デバイス２００の位置を基準に定められる非認証デバイスの充電可能範囲はこれに限らない。充電ユニット１００の載置台上の領域が予め複数に区分されている場合、充電制御部１１０は、認証デバイス２００が位置する領域を非認証デバイスの充電可能範囲と設定してもよい。
【００６６】
図８は、第２実施例を説明する図である。第２実施例では、充電ユニット１００の充電制御部１１０は、非認証デバイス３００の充電中に、非認証デバイス３００の充電状況を示す充電状況情報を、通信部１１６を介して認証デバイス２００へ送信する。なお、認証デバイス２００の認証情報記憶部２０４およびデバイス情報記憶部２０５には、認証情報およびデバイス情報がそれぞれ記憶されている。
【００６７】
第２実施例においても、充電ユニット１００の充電制御部１１０は、第１実施例と同様に、図７（ａ）および図７（ｂ）を用いて説明した上述の処理を実行し、非認証デバイスの充電可能範囲を決定する。そして、充電制御部１１０は、表示制御部１１４に指令を送り、非認証デバイスの充電可能範囲を示す範囲オブジェクト５００を表示パネル１０３に表示させる。
【００６８】
非認証デバイス３００が充電ユニット１００の載置台における非認証デバイスの充電可能範囲に載置されると、充電ユニット１００の充電制御部１１０は、充電制御部１１０は、給電コイル駆動部１２０に指令を送り、給電コイル１１１を、非認証デバイス３００の受電コイル３１１の位置に配置させる。そして、充電制御部１１０は、給電コイル１１１による給電を開始する。
【００６９】
充電制御部１１０は、図８（ａ）に示すように、表示制御部１１４に指令を送り、充電を開始する旨のコメントを表示パネル１０３に表示させる。また、充電制御部１１０は、範囲オブジェクト５００の色を変更して、充電中である旨を示す。
【００７０】
充電制御部１１０は、上述したデバイス情報を用いて、非認証デバイス３００の充電状況を示す充電状況情報を生成する。例えば、充電制御部１１０は、充電時間情報が示す充電時間と実際に充電処理を実行している時間との比の情報を、充電状況情報として生成する。また、充電制御部１１０は、非認証デバイス３００の二次電池３１０の最大容量と実際に給電した容量との比の情報を、充電状況情報として生成する。また、デバイス情報に充電時間情報および機器情報が含まれていない場合には、充電制御部１１０は、予め規定された充電時間と実際に充電処理を実行している時間との比の情報を、充電状況情報として生成する。そして、充電制御部１１０は、非認証デバイス３００の充電状況を示す充電状況情報を、通信部１１６を介して認証デバイス２００へ送信する。
【００７１】
認証デバイス２００のデバイスシステム制御部２０１は、充電状況情報を取得すると、デバイス表示制御部２０７に指令を送り、非認証デバイス３００の二次電池２１０の残容量を示す充電アイコンを、デバイス表示パネル２０６に表示させる。図８（ａ）の例では、非認証デバイス３００の二次電池３１０の残容量が０％である状態を示す。認証デバイス２００のデバイスシステム制御部２０１は、非認証デバイス３００の二次電池３１０の残容量が０％であることを示す充電アイコン６０１を、デバイス表示パネル２０６に表示させる。
【００７２】
充電制御部１１０は、一定の間隔、例えば１分おきに、非認証デバイス３００の充電状況を示す充電状況情報を認証デバイス２００へ送信する。図８（ｂ）は、非認証デバイス３００の二次電池３１０の残容量が６０％となるまで充電された状態を示す。この場合、認証デバイス２００のデバイスシステム制御部２０１は、非認証デバイス３００の二次電池３１０の残容量が６０％であることを示す充電アイコン６０２を、デバイス表示パネル２０６に表示させる。
【００７３】
充電制御部１１０は、非認証デバイス３００の二次電池３１０が満充電となると、給電コイル１１１による給電を停止させる。そして、充電制御部１１０は、図８（ｃ）に示すように、表示制御部１１４に指令を送り、充電が完了した旨のコメントを表示パネル１０３に表示させるとともに、非認証デバイスの充電可能範囲を示す範囲オブジェクト５００を消去する。この場合、認証デバイス２００のデバイスシステム制御部２０１は、非認証デバイス３００の二次電池３１０の残容量が１００％であることを示す充電アイコン６０３を、デバイス表示パネル２０６に表示させる。
【００７４】
第２実施例の構成によれば、ユーザは、非認証デバイス３００の充電状況を、携帯している認証デバイス２００で確認することができる。なお、第２実施例において、非認証デバイス３００の充電状況情報は、一定の間隔で認証デバイス２００へ送信されたが、認証デバイス２００からの要求に応じて送信されても良い。具体的には、まず、認証デバイス２００のデバイスシステム制御部２０１は、非認証デバイス３００の充電中に、非認証デバイス３００の充電状況情報を要求する要求情報を、非認証デバイス３００の充電に関する充電情報としてデバイス通信部２０９を介して充電ユニット１００へ送信する。充電ユニット１００の充電制御部１１０は、要求情報を受信すると、充電状況情報を非認証デバイス３００から取得し、非認証デバイス３００の充電状況を示す充電状況情報を認証デバイス２００へ送信する。
【００７５】
認証デバイス２００から送信される、非認証デバイス３００の充電に関する充電情報は、上述した要求情報に限らない。例えば、認証デバイス２００のデバイスシステム制御部２０１は、非認証デバイス３００の充電中に、充電時間または給電量を変更する変更指示情報を、非認証デバイス３００の充電に関する充電情報として充電ユニット１００へ送信する。この場合、充電ユニット１００の充電制御部１１０は、変更指示情報に応じて給電コイル１１１による給電を制御する。
【００７６】
なお、非認証デバイス３００がデバイス通信部３０９を備える場合、充電ユニット１００は、非認証デバイス３００の充電状況を示す充電状況情報を、非認証デバイス３００から取得しても良い。具体的には、充電制御部１１０は、非認証デバイス３００の二次電池２１０の最大容量および残容量に関する情報が含まれる充電状況情報を、通信部１１６を介して非認証デバイス３００から取得する。そして、充電制御部１１０は、非認証デバイス３００の充電状況を示す充電状況情報を、通信部１１６を介して認証デバイス２００へ送信する。また、認証デバイス２００は、非認証デバイス３００の充電を停止させる停止指示情報を充電ユニット１００へ送信できるように構成しても良い。充電ユニット１００は、停止指示情報を受信したら、非認証デバイス３００への充電処理を停止する。
【００７７】
図９は、本実施形態に係る充電ユニット１００の動作フローを示すフローチャートである。本動作フローは、上述した第１実施例および第２実施例における充電ユニット１００の動作を包含する。本動作フローは、ユーザによって充電ユニット１００の電源スイッチ１０５がオンとされたときに開始する。
【００７８】
ステップＳ１０１において、充電ユニット１００の充電制御部１１０は、内蔵するタイマーｔと、モードフラグｆｍとを０に初期化する。本実施形態において、モードフラグｆｍ＝０は、充電モードが認証デバイスを充電する認証充電モードであることを示し、モードフラグｆｍ＝１は、充電モードが上述の非認証充電モードであることを示す。モードフラグｆｍは、充電システムメモリ１１８に記録される。ステップＳ１０２において、充電制御部１１０は、充電ユニット１００の載置台にデバイスが載置されたか否かを判断する。具体的には、充電制御部１１０は、位置検出部１０２の内部に配設された位置検出コイル１１５の検出電流の変化によって、デバイスが載置されたことを検出する。充電制御部１１０は、充電ユニット１００の載置台にデバイスが載置されたと判断すると、ステップＳ１０３へ進む。一方、充電制御部１１０は、デバイスが載置されていないと判断すると、ステップＳ１２１へ進む。
【００７９】
ステップＳ１０３において、充電制御部１１０は、上述したように、載置されたデバイスに対して認証情報を要求する。ステップＳ１０４において、充電制御部１１０は、認証情報の要求に応じて、載置されたデバイスから上述の認証情報を取得したか否かを判断する。充電制御部１１０は、認証情報を取得した場合には、載置されたデバイスが認証デバイスであると判別し、ステップＳ１０５へ進む。なお、載置された認証デバイスとして上述の認証デバイス２００を用いて以下説明する。
【００８０】
ステップＳ１０５において、充電制御部１１０は、認証デバイス２００から上述のデバイス情報を取得したか否かを判断する。充電制御部１１０は、デバイス情報を取得していない場合にはステップＳ１０６へ進む。ステップＳ１０６において、充電制御部１１０は、給電コイル１１１を、認証デバイス２００の受電コイル２１１の位置まで移動させ、給電コイル１１１による給電を開始する。
【００８１】
ステップＳ１０７において、充電制御部１１０は、上述したように、認証デバイス２００の二次電池２１０の充電が完了したか否かを判断する。充電制御部１１０は、認証デバイス２００の二次電池２１０の充電が完了するまで給電コイル１１１による給電を維持し、認証デバイス２００の二次電池２１０の充電が完了したと判断するとステップＳ１０８へ移行する。ステップＳ１０８において、充電制御部１１０は、給電コイル１１１による給電を停止させ、ステップＳ１２１へ進む。
【００８２】
ステップＳ１０５において、充電制御部１１０は、デバイス情報を取得している場合には、非認証充電モードへ移行し、ステップＳ１０９へ進む。ステップＳ１０９において、充電制御部１１０は、モードフラグｆｍを１に設定する。なお、充電制御部１１０は、モードフラグｆｍを１に設定したときに載置されている認証デバイス２００の機器情報を充電システムメモリ１１８に記録する。
【００８３】
ステップＳ１１０において、充電制御部１１０は、タイマーｔの計測を開始する。タイマーｔは、認証デバイス２００の機器情報が充電システムメモリ１１８に記録されてから、充電対象となる非認証デバイスが載置されるまでの時間を計時する。具体的には後述するが、非認証デバイスが載置されるまでの許容時間として予め定められた閾値ｔ０までに非認証デバイスが載置されれば、充電制御部１１０は当該非認証デバイスを充電するが、閾値ｔ０を超えた場合には時間切れとして充電を行わない。
【００８４】
ステップＳ１１１において、充電制御部１１０は、上述したように、認証デバイス２００の位置を基準にした、非認証デバイスの充電可能範囲を決定する。そして、ステップＳ１１２において、充電制御部１１０は、上述したように、非認証デバイスの充電可能範囲を示す範囲オブジェクトを表示パネル１０３に表示させ、ステップＳ１２１へ進む。
【００８５】
一方、ステップＳ１０４において、充電制御部１１０は、載置されたデバイスが非認証デバイスであると判別すると、ステップＳ１１３へ進む。なお、載置された非認証デバイスとして上述の非認証デバイス３００を用いて以下説明する。ステップＳ１１３において、充電制御部１１０は、モードフラグｆｍが１であるか否かを判断する。充電制御部１１０は、モードフラグｆｍが０の場合には、非認証デバイス３００の充電を行わずにステップＳ１２１へ進む。一方、充電制御部１１０は、モードフラグｆｍが１の場合には、非認証充電モードであると判断してステップＳ１１４へ進む。
【００８６】
ステップＳ１１４において、充電制御部１１０は、非認証デバイス３００がステップＳ１１１で決定した充電可能範囲内に存在するか否かを判断する。充電制御部１１０は、非認証デバイス３００が充電可能範囲内に存在しない場合には、非認証デバイス３００の充電を行わずにステップＳ１２１へ進む。一方、充電制御部１１０は、非認証デバイス３００が充電可能範囲内に存在する場合には、ステップＳ１１５へ進む。
【００８７】
ステップＳ１１５において、充電制御部１１０は、現時点のタイマーｔが予め定められた閾値ｔ０より大きいか否かを判断する。閾値ｔ０は、例えば５分と規定されている。すなわち、タイマーの経時が開始されてから５分以内に非認証デバイス３００が載置されれば、充電制御部１１０は、許容時間内に載置されたとして、当該非認証デバイス３００の充電を実行すべくステップＳ１１６へ進む。一方、５分を超えたら、許容時間を超えたと判断して、充電制御部１１０は、非認証デバイス３００の充電を行わずにステップＳ１２１へ進む。
【００８８】
ステップＳ１１６において、充電制御部１１０は、給電コイル１１１を、非認証デバイス３００の受電コイル３１１の位置まで移動させ、給電コイル１１１による給電を開始する。ステップＳ１１７において、充電制御部１１０は、上述したように、充電状況情報を、充電システムメモリ１１８に記録されている機器情報が示す認証デバイス２００へ送信する。
【００８９】
ステップＳ１１８において、充電制御部１１０は、上述したように、非認証デバイス３００の二次電池３１０の充電が完了したか否かを判断する。充電制御部１１０は、非認証デバイス３００の二次電池３１０の充電が完了していないと判断した場合にはステップＳ１１７へ戻る。一方、充電制御部１１０は、非認証デバイス３００の二次電池３１０の充電が完了したと判断するとステップＳ１１９へ移行する。ステップＳ１１９において、充電制御部１１０は、給電コイル１１１による給電を停止させる。また、充電制御部１１０は、上述したように、非認証デバイスの充電可能範囲を示す範囲オブジェクトを消去する。ステップＳ１２０において、充電ユニット１００の充電制御部１１０は、タイマーｔとモードフラグｆｍとを０に初期化する。
【００９０】
ステップＳ１２１において、充電制御部１１０は、充電ユニット１００の電源スイッチ１０５がオフとされたか否かを判断する。充電制御部１１０は、充電ユニット１００の電源スイッチ１０５がオフとされていないと判断すると、ステップＳ１０２へ戻る。一方、充電制御部１１０は、充電ユニット１００の電源スイッチ１０５がオフとされたと判断すると、動作フローを終了する。
【００９１】
図１０は、本実施形態に係る認証デバイス２００の動作フローを示すフローチャートである。本動作フローは、上述した第１実施例および第２実施例における認証デバイス２００の動作を包含する。本動作フローは、ユーザによって認証デバイス２００の電源スイッチがオンとされたときに開始する。
【００９２】
ステップＳ２０１において、認証デバイス２００のデバイスシステム制御部２０１は、デバイス情報がデバイス情報記憶部２０５に記憶されているか否かを判断する。デバイスシステム制御部２０１は、デバイス情報が記憶されている場合にはステップＳ２０２へ進み、デバイス情報が記憶されていない場合にはステップＳ２０９へ進む。ステップＳ２０２において、デバイスシステム制御部２０１は、充電ユニット１００から認証情報の要求を受けたか否かを判断する。デバイスシステム制御部２０１は、認証情報の要求を受けた場合にはステップＳ２０３へ進み、認証情報の要求を受けていない場合にはステップＳ２１３へ進む。
【００９３】
ステップＳ２０３において、デバイスシステム制御部２０１は、認証情報記憶部２０４に記憶されている認証情報と、デバイス情報記憶部２０５に記憶されているデバイス情報とを充電ユニット１００へ送信する。ステップＳ２０４において、デバイスシステム制御部２０１は、充電ユニット１００で充電中のデバイスに対する上述の充電情報を送信する指示をユーザから受け付けたか否かを判断する。デバイスシステム制御部２０１は、充電情報を送信する指示を受け付けた場合にはステップＳ２０５へ進み、充電情報を送信する指示を受け付けていない場合にはステップＳ２０６へ進む。ステップＳ２０５において、デバイスシステム制御部２０１は、ユーザから受け付けた指示に応じた充電情報を充電ユニット１００へ送信する。
【００９４】
ステップＳ２０６において、デバイスシステム制御部２０１は、充電ユニット１００で充電中のデバイスについての上述の充電状況情報を受信したか否かを判断する。デバイスシステム制御部２０１は、充電状況情報を受信した場合にはステップＳ２０７へ進み、充電状況情報を受信していない場合にはステップＳ２０８へ進む。ステップＳ２０７において、デバイスシステム制御部２０１は、図８を用いて説明したように、充電中のデバイスの充電状況を示す充電アイコンをデバイス表示パネル２０６に表示させる。
【００９５】
ステップＳ２０８において、デバイスシステム制御部２０１は、充電ユニット１００で充電中のデバイスの充電が完了した旨の充電完了情報を充電ユニット１００から受信したか否かを判断する。デバイスシステム制御部２０１は、充電完了情報を受信した場合にはステップＳ２１３へ進み、充電完了情報を受信していない場合にはステップＳ２０４へ戻る。
【００９６】
ステップＳ２０１において、デバイスシステム制御部２０１は、デバイス情報が記憶されていない場合にはステップＳ２０９へ進む。ステップＳ２０９において、デバイスシステム制御部２０１は、充電ユニット１００から認証情報の要求を受けたか否かを判断する。デバイスシステム制御部２０１は、認証情報の要求を受けた場合にはステップＳ２１０へ進み、認証情報の要求を受けていない場合にはステップＳ２１３へ進む。ステップＳ２１０において、デバイスシステム制御部２０１は、認証情報記憶部２０４に記憶されている認証情報を充電ユニット１００へ送信する。
【００９７】
ステップＳ２１１において、デバイスシステム制御部２０１は、受電コイル２１１で充電ユニット１００から供給される電力を受電し、二次電池２１０を充電する充電処理を開始する。ステップＳ２１２において、デバイスシステム制御部２０１は、二次電池２１０の充電が完了したか否かを判断する。デバイスシステム制御部２０１は、二次電池２１０の充電が完了するまで充電処理を継続し、二次電池２１０の充電が完了したと判断するとステップＳ２１３へ進む。
【００９８】
ステップＳ２１３において、デバイスシステム制御部２０１は、認証デバイスの電源スイッチがオフとされたか否かを判断する。デバイスシステム制御部２０１は、認証デバイスの電源スイッチがオフとされていないと判断すると、ステップＳ１０１へ戻る。一方、デバイスシステム制御部２０１は、認証デバイスの電源スイッチがオフとされたと判断すると、動作フローを終了する。
【００９９】
次に、本実施形態の変形例について説明する。図１１は、第１変形例を説明する図である。第１変形例では、充電ユニット１００は、認証デバイス２００が載置台に載置されたときに暗証情報を提示し、非認証デバイス３００が載置台に載置されたときに、暗証情報の入力をユーザから受け付ける。そして、充電ユニット１００は、ユーザから受け付けた暗証情報と提示した暗証情報とが同一である場合に、非認証デバイス３００の充電池を充電する。なお、認証デバイス２００の認証情報記憶部２０４およびデバイス情報記憶部２０５には、認証情報およびデバイス情報がそれぞれ記憶されている。
【０１００】
図１１（ａ）に示すように、認証デバイス２００が充電ユニット１００の載置台に載置されると、充電ユニット１００の充電制御部１１０は、上述した第１実施例と同様の処理を実行し、非認証デバイスの充電可能範囲を決定する。そして、充電制御部１１０は、表示制御部１１４に指令を送り、非認証デバイスの充電可能範囲を示す範囲オブジェクト５００を表示パネル１０３に表示させる。また、充電制御部１１０は、表示制御部１１４に指令を送り、認証パスワードを暗証情報として表示パネル１０３に表示させる。
【０１０１】
図１１（ｂ）に示すように、非認証デバイス３００が充電ユニット１００の載置台上における非認証デバイスの充電可能範囲に載置されると、充電制御部１１０は、表示制御部１１４に指令を送り、認証パスワードを受け付けるパスワード入力オブジェクト７００を表示パネル１０３に表示させる。ユーザは、パスワード入力オブジェクト７００のキーの領域に対応するタッチパネル１０９上の領域を接触操作すると、充電制御部１１０は、タッチパネル１０９を介して、ユーザのパスワード入力を受け付ける。
【０１０２】
ユーザから受け付けた認証パスワードと提示した認証パスワードとが同一である場合に、充電制御部１１０は、給電コイル駆動部１２０に指令を送り、給電コイル１１１を、非認証デバイス３００の受電コイル３１１の位置に配置させる。そして、充電制御部１１０は、給電コイル１１１による給電を開始する。図１１（ｃ）に示すように、充電制御部１１０は、表示制御部１１４に指令を送り、範囲オブジェクト５００とともに充電を開始する旨のコメントを表示パネル１０３に表示させる。ユーザから受け付けた認証パスワードと提示した認証パスワードとが異なる場合に、充電制御部１１０は、表示制御部１１４に指令を送り、認証パスワードが異なる旨の警告を表示パネル１０３に表示させる。
【０１０３】
第１変形例の構成によれば、認証デバイスを載置して認証を受けた後に、他のユーザが、非認証デバイスを載置して充電することを防止することができる。なお、暗証情報として認証パスワードが用いられたが、暗証情報はこれに限らず、記号、図形等であってもよい。また、第１変形例によれば、充電制御部１１０は、暗証番号を表示パネル１０３に表示させたが、通信部１１６を介して当該暗証番号を認証デバイス２００へ送信し、認証デバイス２００のデバイス表示パネル２０６に当該暗証番号を表示させても良い。この場合、通信部１１６は、暗証番号を認証デバイス２００へ提示する提示部の機能を担う。
【０１０４】
図１２は、第２変形例を説明する図である。第２変形例では、充電ユニット１００は、認証デバイス２００が載置台から予め定められた範囲に存在するか否かを判定し、認証デバイス２００が載置台から予め定められた範囲に存在しない場合には、他の非認証デバイスに対する充電処理を開始しない。なお、認証デバイス２００の認証情報記憶部２０４およびデバイス情報記憶部２０５には、認証情報およびデバイス情報がそれぞれ記憶されている。以下の図１２の例では、予め定められた範囲として載置台の全体を採用する。すなわち、認証デバイスと非認証デバイスが載置台に同時に置かれた場合に、充電制御部１１０は、非認証デバイスの充電処理を開始する。
【０１０５】
上述した認証デバイス２００および非認証デバイス３００以外に、音楽プレーヤーである非認証デバイス３３０が用いられる。非認証デバイス３３０は、図４を用いて説明した非認証デバイス３００の構成のうち撮像ユニット３０２以外の構成を有する。また、非認証デバイス３３０は、ヘッドホンの端子と着脱可能に装着し、かつ記録部に記録されている音楽データの音声を外部へ出力する音声出力端子を有する。
【０１０６】
図１２（ａ）に示すように、認証デバイス２００が充電ユニット１００の載置台に載置されると、充電ユニット１００の充電制御部１１０は、上述した第１実施例と同様の処理を実行し、非認証デバイスの充電可能範囲を決定する。そして、充電制御部１１０は、表示制御部１１４に指令を送り、非認証デバイスの充電可能範囲を示す範囲オブジェクト５００を表示パネル１０３に表示させる。
【０１０７】
図１２（ｂ）に示すように、認証デバイス２００が載置台に載置されている状態で非認証デバイス３００が載置台上における非認証デバイスの充電可能範囲に載置されると、充電制御部１１０は、給電コイル駆動部１２０に指令を送り、給電コイル１１１を、非認証デバイス３００の受電コイル３１１の位置に配置させる。そして、充電制御部１１０は、給電コイル１１１による給電を開始する。また、充電制御部１１０は、表示制御部１１４に指令を送り、範囲オブジェクト５００とともに充電を開始する旨のコメントを表示パネル１０３に表示させる。
【０１０８】
図１２（ｃ）に示すように認証デバイス２００が載置台から取り除かれても、充電制御部１１０は、給電コイル１１１により、非認証デバイス３００への給電を継続する。ただし、図１２（ｄ）に示すように、認証デバイス２００が載置台から取り除かれた状態すなわち認証デバイス２００が載置台の範囲内に存在しない状態で、新たな非認証デバイス３３０が充電可能範囲に載置されても、充電制御部１１０は、当該非認証デバイス３３０に対する充電処理を開始しない。また、充電制御部１１０は、表示制御部１１４に指令を送り、追加された非認証デバイス３３０への充電ができない旨のコメントを表示パネル１０３に表示させる。この場合、充電制御部１１０は、認証デバイス２００と共に載置された非認証デバイス３００への充電処理は継続する。
【０１０９】
第２変形例によれば、認証デバイスを載置して認証を受けた後に、他のユーザが非認証デバイスを載置して充電することを防止することができる。すなわち、充電処理が実行される非認証デバイスは、認証デバイスと共に載置台に載置されたものであり、充電制御部１１０は、認証デバイスが載置台より取り除かれた後に別の非認証デバイスが載置されたとしても、その非認証デバイスに対しては充電処理を実行しない。
【０１１０】
なお、充電対象とする非認証デバイスを決定する判断は、認証デバイスと同時に載置台に載置されたか否かを基準とするに限らず、様々な基準を採用することができる。例えば、充電ユニット１００と認証デバイスとの間で赤外線通信方式等の近距離無線通信方式が採用される場合、通信可能範囲が、充電ユニット１００の載置台から予め定められた範囲として設定されてもよい。すなわち、非認証デバイスを充電対象とするか否かは、充電ユニット１００と認証デバイスとが通信できるか否かにより決定される。したがって、充電ユニット１００の載置台から予め定められた範囲とは、充電ユニット１００の載置台の範囲に限らず、載置台から離れた空間を含んでも良い。
【０１１１】
また、充電制御部１１０は、充電処理実行の判断基準として、充電処理の開始時における認証デバイスと非認証デバイスの位置関係に限らず、充電の継続中における認証デバイスと非認証デバイスの位置関係も採用することができる。例えば、充電処理の継続中に、認証デバイスが載置台より離された場合には充電処理を終了させることができる。この場合、認証デバイスが再度近づけられた場合には、充電処理を再開しても良い。さらには、認証デバイスが予め定められた範囲に存在すれば、追加して非認証デバイスが載置台に載置された場合にも、当該非認証デバイスを充電処理対象として良い。
【０１１２】
図１３は、第３変形例を説明する図である。第３変形例では、充電ユニット１００は、充電対象となる複数の非認証デバイスが載置台に載置された場合に、認証デバイス２００と非認証デバイスとの距離に応じて非認証デバイスの充電の順序を決定する。図１３の例において、上述した認証デバイス２００、非認証デバイス３００および非認証デバイス３３０が用いられる。なお、認証デバイス２００の認証情報記憶部２０４およびデバイス情報記憶部２０５には、認証情報およびデバイス情報がそれぞれ記憶されている。
【０１１３】
図１３（ａ）に示すように、認証デバイス２００が充電ユニット１００の載置台に載置されると、充電ユニット１００の充電制御部１１０は、上述した第１実施例と同様の処理を実行し、非認証デバイスの充電可能範囲を決定する。そして、充電制御部１１０は、表示制御部１１４に指令を送り、非認証デバイスの充電可能範囲を示す範囲オブジェクト５００を表示パネル１０３に表示させる。
【０１１４】
図１３（ｂ）に示すように、認証デバイス２００が載置台に載置されている状態で非認証デバイス３００が載置台上における非認証デバイスの充電可能範囲に載置されると、充電制御部１１０は、給電コイル駆動部１２０に指令を送り、給電コイル１１１を、非認証デバイス３００の受電コイル３１１の位置に配置させる。そして、充電制御部１１０は、給電コイル１１１による給電を開始する。また、充電制御部１１０は、表示制御部１１４に指令を送り、範囲オブジェクト５００とともに充電を開始する旨のコメントを表示パネル１０３に表示させる。
【０１１５】
そして、非認証デバイス３３０がさらに載置台上における非認証デバイスの充電可能範囲に載置されると、充電制御部１１０は、非認証デバイス３３０の受電コイル３１１の位置を非認証デバイス３３０の位置として特定する。充電制御部１１０は、非認証デバイス３００の方が非認証デバイス３３０より認証デバイス２００に近い場合には、先に載置された非認証デバイス３００の方を優先すると判断し、給電コイル１１１による給電を継続する。そして、充電制御部１１０は、非認証デバイス３００に対する充電が完了した後に、非認証デバイス３３０に対する充電を開始する。
【０１１６】
一方、図１３（ｃ）に示すように、充電制御部１１０は、非認証デバイス３３０の方が非認証デバイス３００より認証デバイス２００に近い場合には、後に載置された非認証デバイス３３０の方を優先すると判断する。この場合、まず、充電制御部１１０は、給電コイル１１１による給電を停止させて、非認証デバイス３００に対する充電を中止する。次に、充電制御部１１０は、給電コイル駆動部１２０に指令を送り、給電コイル１１１を、非認証デバイス３３０の受電コイル３１１の位置に配置させる。そして、充電制御部１１０は、給電コイル１１１による給電を開始する。
【０１１７】
また、充電制御部１１０は、表示制御部１１４に指令を送り、新たに載置された非認証デバイスへの充電を開始する旨のコメントを表示パネル１０３に表示させる。充電制御部１１０は、非認証デバイス３３０に対する充電が完了した後に、非認証デバイス３００に対する充電を再開する。第３変形例の構成によれば、ユーザは、容易に非認証デバイスの充電の順序を設定することができる。
【０１１８】
図１４は、第４変形例を説明する図である。第４変形例では、充電ユニット１００は、予め複数の領域に区分された載置台を用いて、領域ごとに非認証デバイスに対して充電する。図１４の例において、ユーザＡは、上述した認証デバイス２００、非認証デバイス３００および非認証デバイス３３０を所持している。また、ユーザＢは、携帯電話である認証デバイス２５０およびデジタルカメラである非認証デバイス３５０を所持している。
【０１１９】
認証デバイス２５０は、図３を用いて説明した認証デバイス２００の構成と同様の構成を有する。非認証デバイス３５０は、図４を用いて説明した非認証デバイス３００の構成と同様の構成を有する。なお、認証デバイス２００および認証デバイス２５０の各々の認証情報記憶部２０４およびデバイス情報記憶部２０５には、認証情報およびデバイス情報がそれぞれ記憶されている。
【０１２０】
図１４（ａ）に示すように、充電ユニット１００の載置台は、幅方向すなわちｘ方向に３つ、奥行き方向すなわちｙ方向に２つの計６つの領域に予め区分されている。また、充電ユニット１００は、領域ごとに給電コイル１１１を有している。ユーザＡが認証デバイス２００を右奥の領域８０１に載置すると、充電ユニット１００の充電制御部１１０は、領域８０１の範囲を、非認証デバイスの充電可能範囲と決定する。また、充電制御部１１０は、表示制御部１１４に指令を送り、充電可能範囲を示す色、例えば緑色で領域８０１を表示する。
【０１２１】
そして、図１４（ｂ）に示すように、ユーザＡが充電ユニット１００の載置台の領域８０１に非認証デバイス３００と非認証デバイス３３０を載置すると、充電制御部１１０は、領域８０１に対応して設けられた給電コイル１１１を用いて、非認証デバイス３００および非認証デバイス３３０に対する充電を行う。なお、充電制御部１１０は、予め定められた順序、例えば載置された順序に従って充電を行う。また、充電制御部１１０は、表示制御部１１４に指令を送り、充電中を示す色、例えば青色で領域８０１を表示する。
【０１２２】
その後、図１４（ｃ）に示すように、非認証デバイス３００および非認証デバイス３３０に対する充電が行われている状態でユーザＢが認証デバイス２５０を手前中央の領域８０２に載置すると、充電制御部１１０は、領域８０２の範囲を、非認証デバイスの充電可能範囲と決定する。そして、充電制御部１１０は、表示制御部１１４に指令を送り、充電可能範囲を示す色、例えば緑色で領域８０２を表示する。
【０１２３】
そして、図１４（ｄ）に示すように、ユーザＢが充電ユニット１００の載置台の領域８０２に非認証デバイス３５０を載置すると、充電制御部１１０は、領域８０２に対応して設けられた給電コイル１１１を用いて、非認証デバイス３５０に対する充電を行う。そして、充電制御部１１０は、表示制御部１１４に指令を送り、充電中を示す色、例えば青色で領域８０２を表示する。なお、充電制御部１１０は、非認証デバイス３５０が領域８０２に載置された場合においても、領域８０１に載置された非認証デバイス３００および非認証デバイス３３０に対する充電を継続する。
【０１２４】
第４変形例の構成によれば、複数の非認証デバイスを同時に充電することができる。また、予め領域が区分されていることにより、複数の給電コイル１１１の配置および構成を容易に決定することができる。
【０１２５】
図１５は、第５変形例を説明する図である。第５変形例では、認証デバイス２００が充電ユニット１００の載置台に載置された場合に、充電ユニット１００側でデバイス情報をユーザから受け付ける。ユーザが認証デバイス２００を充電ユニット１００の載置台に載置すると、充電制御部１１０は、表示制御部１１４に指令を送り、図５を用いて説明した設定画面と同様の項目を含む設定オブジェクト９００を表示パネル１０３に表示させる。この状態において、ユーザは、設定オブジェクト９００の各項目の領域に対応するタッチパネル１０９上の領域を接触操作すると、充電制御部１１０は、タッチパネル１０９を介して、各項目に対するユーザの入力を受け付ける。
【０１２６】
充電対象の設定画面において、「他の非認証デバイスを充電」の項目が選択可能にユーザに提示される。また、ユーザが「他の非認証デバイスを充電」を選択した場合、「充電対象のデバイスの種別」および「充電時間」の項目が入力可能に提示される。なお、ユーザが「充電対象のデバイスの種別」および「充電時間」の項目の領域を接触操作した場合、充電制御部１１０は、表示制御部１１４に指令を送り、当該項目の文字入力を受け付けるキーボードのオブジェクトを表示パネル１０３に表示させる。充電制御部１１０は、設定オブジェクト９００の「他の非認証デバイスを充電」が選択された場合に、上述したデバイス情報を取得する。
【０１２７】
第５実施例の構成によれば、ユーザは、デバイス情報を予め認証デバイスに入力する必要がなくなる。なお、第５実施例における充電ユニット１００側でのデバイス情報の取得処理と、図５を用いて説明した認証デバイス側でのデバイス情報の取得処理とを併用してもよい。例えば、充電ユニット１００は、載置台に載置されたデバイスから認証情報とデバイス情報とを取得した場合には、設定オブジェクト９００を表示パネル１０３に表示させない。一方、充電ユニット１００は、載置台に載置されたデバイスから認証情報のみ取得した場合には、設定オブジェクト９００を表示パネル１０３に表示させる。
【０１２８】
上述の実施形態において、位置検出部１０２は、位置検出コイル１１５の検出電流の変化によりデバイスの載置および位置を検出したが、これに限らない。位置検出部１０２は、荷重センサ、照度センサ等の各種センサを具備し、センサ出力からデバイスの載置および位置を検出しても良い。また、位置検出部１０２は、タッチパネル１０９が具備する抵抗膜方式、赤外線方式等のタッチセンサの出力からデバイスの載置および位置を検出しても良い。
【０１２９】
上述の実施形態において、非接触充電方式が用いられたが、デバイスの端子と着脱可能に接触する給電端子を介してデバイスを充電する接触充電方式に上述の技術思想を適用しても良い。具体的には、充電ユニット１００の載置台に複数の給電端子が設けられる。他の非認証デバイスを充電する旨が設定されている認証デバイスの端子がいずれかの給電端子に装着された場合に、充電ユニット１００は、非認証デバイスを充電可能な給電端子を決定する。そして、充電ユニット１００は、決定した給電端子に装着された非認証デバイスに対して、当該給電端子を介して給電する。
【０１３０】
上述の実施形態において、充電ユニット１００は、載置されたデバイスから認証情報を取得した場合に、通信部１１６を介してサーバ４００と通信して認証情報の適否を確認しても良い。例えば、充電ユニット１００は、取得した認証情報をサーバ４００に送信する。サーバ４００は、充電ユニット１００から送信された認証情報を用いて、デバイスが充電対象として適正に認証を受けているか否かを判断し、認証結果情報を充電ユニット１００へ送信する。充電ユニット１００は、載置されたデバイスが適正に認証を受けている旨を示す認証結果情報を受信した場合には、載置されたデバイスが認証デバイスと判別する。一方、充電ユニット１００は、載置されたデバイスが適正に認証を受けていない旨を示す認証結果情報を受信した場合には、載置されたデバイスを非認証デバイスと判別する。なお、充電ユニット１００は、サーバ４００の代わりに、充電システムを管理する各種情報を格納するデータベースを備えても良い。
【０１３１】
上述の実施形態において、充電ユニット１００は、あるいは、充電ユニット１００を介してサーバ４００は、充電対象となる認証デバイスおよび非認証デバイスの充電処理に対して、課金処理を行うことができる。具体的には、認証デバイスは決済機能を搭載しており、自らに対して実行される充電処理と、自らの認証処理によって充電処理が許可される非認証デバイスに対して実行される充電処理について、充電ユニット１００またはサーバ４００の要求に従って課金に対する決済を実行する。
【０１３２】
上述の実施形態において、デバイスとして携帯電話、デジタルカメラおよび音楽プレーヤーを用いて説明したが、デバイスはこれに限らない。タブレット型端末装置、ＰＤＡ等の充電池を備える各種端末装置をデバイスとして用いることができる。
【０１３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１３４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１３５】
１００  充電ユニット、１０１  充電部、１０２  位置検出部、１０３  表示パネル、１０５  電源スイッチ、１０６  電源コンセント、１０７  枠部、１０８  表示領域、１０９  タッチパネル、１１０  充電制御部、１１１  給電コイル、１１２  給電制御部、１１３  表示部、１１４  表示制御部、１１５  位置検出コイル、１１６  通信部、１１７  充電ワークメモリ、１１８  充電システムメモリ、１１９  充電ユニット電源部、１２０  給電コイル駆動部、１２１，１２３  ボールネジ、１２２  第一モータ，１２４  第二モータ、１２５，１２６，１３４，１３５、１４０，１４１  取り付け部材、１２７，１３３  支持レール、１２８，１２９  取り付け部材、１３０，１３６  コイル駆動レール、１３１，１３７  ネジ連結部、１３２，１３８  レール連結部、１３９  コイル支持台、１４２  給電導線、２００、２５０  認証デバイス、２０１  デバイスシステム制御部、２０２  デバイスワークメモリ、２０３  デバイスシステムメモリ、２０４  認証情報記憶部、２０５  デバイス情報記憶部、２０６  デバイス表示パネル、２０７  デバイス表示制御部、２０８  操作部材、２０９  デバイス通信部、２１０  二次電池、２１１  受電コイル、３００、３３０、３５０  非認証デバイス、３０１  デバイスシステム制御部、３０２  撮像ユニット、３０３  記録部、３０４  デバイスワークメモリ、３０５  デバイスシステムメモリ、３０６  デバイス表示パネル、３０７  デバイス表示制御部、３０８  操作部材、３０９  デバイス通信部、３１０  二次電池、３１１  受電コイル、４００  サーバ、５００  範囲オブジェクト、６０１、６０２、６０３  充電アイコン、７００  パスワード入力オブジェクト、８０１、８０２  領域、９００  設定オブジェクト
【図１】
2014023252.tif 000003
【図２】
2014023252.tif 000004
【図３】
2014023252.tif 000005
【図４】
2014023252.tif 000006
【図５】
2014023252.tif 000007
【図６】
2014023252.tif 000008
【図７】
2014023252.tif 000009
【図８】
2014023252.tif 000010
【図９】
2014023252.tif 000011
【図１０】
2014023252.tif 000012
【図１１】
2014023252.tif 000013
【図１２】
2014023252.tif 000014
【図１３】
2014023252.tif 000015
【図１４】
2014023252.tif 000016
【図１５】
2014023252.tif 000017